(57)【特許請求の範囲】
【請求項１】
双方向情報交流システムであって、リクエストユーザーが端末を利用して前記システムを介して交流ユーザーと情報交流を行い、前記端末は少なくとも１つの通信装置を含み、前記通信装置は少なくとも１つのディスプレイを有し、  前記双方向情報交流システムは、
前記通信装置と通信可能に接続される通信モジュールと、
前記リクエストユーザーと複数の交流ユーザーのプロフィールを記憶する少なくとも１つの記憶モジュールと、
前記リクエストユーザーが前記通信モジュールを介してログインする際に前記リクエストユーザーの前記プロフィールを認証する認証モジュールと、
前記リクエストユーザーのプロフィールの認証後、前記リクエストユーザーからの交流条件に基づいて、オンラインになっていてかつ前記交流条件を満たす前記交流ユーザーの１つを主要交流ユーザーとして選択し、前記記憶モジュールから前記主要交流ユーザー以外に前記交流条件を満たす少なくとも１つの交流ユーザーをダミー交流ユーザーとして選択するマッチングモジュールと、
前記通信モジュールを介して前記主要交流ユーザーと前記ダミー交流ユーザーのプロフィールを前記通信装置に送信し、前記通信モジュールを介して前記通信装置と前記主要交流ユーザーとの交流情報の受送信を行い、前記主要交流ユーザーと前記ダミー交流ユーザーの写真を前記ディスプレイに表示させる処理モジュールと、
前記リクエストユーザーと前記主要交流ユーザーとの交流状態を計算し、前記交流状態が閾値条件に達した場合に、権限指令を出力する演算モジュールと、
前記権限指令を受信し、前記通信モジュールを介して、前記リクエストユーザーに排除権利の獲得を知らせるメッセージを前記通信装置に表示させ、前記記憶モジュールに記憶させ、前記リクエストユーザーからの前記排除権利の行使を受信した場合に、前記処理モジュールに少なくとも１つの前記ダミー交流ユーザーを排除させる権限モジュールと、を備えることを特徴とする双方向情報交流システム。
【請求項２】
前記記憶モジュールにおける前記リクエストユーザーのポイントを計算するポイント計算モジュールをさらに含み、
前記演算モジュールは、周期パルスを出力するクロックユニットと、前記リクエストユーザーと前記主要交流ユーザーとの交流の期間に前記周期パルスをカウントし、交流状態を示す時間指標を出力する時間計測ユニットと、備えることを特徴とする請求項１記載の双方向情報交流システム。
【請求項３】
前記記憶モジュールにおける前記リクエストユーザーのポイントを計算するポイント計算モジュールをさらに含み、
前記演算モジュールは、リクエストユーザーと主要交流ユーザーの交流情報量を計測し、交流状態を示す情報量指標を出力する情報量計測ユニットを備えることを特徴とする請求項１記載の双方向情報交流システム。
【請求項４】
前記双方向情報交流システムにおいて、
前記通信モジュールを介して前記リクエストユーザーの前記通信装置からの交流終了リクエストを受信すると、前記情報交流を終了させる終了モジュールと、
前記情報交流の終了後、前記通信モジュールを介して前記リクエストユーザーの前記通信装置からの交流再開リクエストを受信すると、前記通信モジュールを通じて前記主要交流ユーザーが接続済みかどうかを確認し、前記通信モジュールを介して接続状態を前記リクエストユーザーに知らせる再開モジュールと、を備えることを特徴とする請求項１記載の双方向情報交流システム。
【請求項５】
双方向情報交流システムを用いた方法であって、リクエストユーザーが端末を利用して前記システムを介して交流ユーザーと情報交流を行い、前記端末は少なくとも１つの通信装置を含み、前記通信装置は少なくとも１つのディスプレイを有し、前記双方向情報交流システムは、前記通信装置と通信可能に接続される通信モジュールと、少なくとも１つの記憶モジュールと、認証モジュールと、マッチングモジュールと、処理モジュールと、演算モジュールと、権限モジュールとを備え、前記記憶モジュールには、前記リクエストユーザーと複数の交流ユーザーのプロフィールが記憶され、前記演算モジュールはクロックユニットと時間計測ユニットを備え、前記クロックユニットは周期パルスを出力し、前記双方向情報交流システムを用いた方法は、以下のステップを含む：
ａ）前記通信モジュールは前記リクエストユーザーの前記通信装置と接続され、前記通信装置からの前記リクエストユーザーのプロフィールを受信し、前記認証モジュールで前記リクエストユーザーのプロフィールの認証を行うこと、
ｂ）前記プロフィールの認証後、前記通信モジュールを介して前記リクエストユーザーからの交流条件を受信すること、
ｃ）前記マッチングモジュールは、前記交流条件に基づいて、オンラインになっていてかつ前記交流条件を満たす前記交流ユーザーの１つを主要交流ユーザーとして選択し、前記記憶モジュールから前記主要交流ユーザー以外に前記交流条件を満たす少なくとも１つの交流ユーザーをダミー交流ユーザーとして選択すること、
ｄ）前記処理モジュールは、前記通信モジュールを介して前記主要交流ユーザーと前記ダミー交流ユーザーのプロフィールを前記通信装置に送信し、前記主要交流ユーザーと前記ダミー交流ユーザーの写真を前記ディスプレイに表示させ、前記通信モジュールを介して前記通信装置と前記主要交流ユーザーとの交流情報の受送信を行うこと、
ｅ）前記時間計測ユニットで前記リクエストユーザーと前記主要交流ユーザーとの交流時間における前記周期パルスの数をカウントし、前記リクエストユーザーと前記主要交流ユーザーとの交流状態を示す時間指標を出力し、前記時間指標に基づいて前記交流状態が閾値条件に達したと判断した場合、権限指令を前記権限モジュールに出力し、前記権限モジュールは、前記通信モジュールを介して前記リクエストユーザーに排除権利の獲得を知らせるメッセージを前記通信装置に表示させ、前記記憶モジュールに記憶させること、
ｆ）前記通信モジュールを介して前記リクエストユーザーから排除権利を行使する指令を受信した場合に、前記処理モジュールは少なくとも１つの前記ダミー交流ユーザーを排除し、排除されたダミー交流ユーザー以外の前記ダミー交流ユーザーと前記主要交流ユーザーのプロフィールを前記通信装置に送信し、前記主要交流ユーザーと、少なくとも１つの前記排除されたダミー交流ユーザー以外の前記ダミー交流ユーザーの写真をディスプレイに表示させる。
【発明の詳細な説明】
【技術分野】
【０００１】
本発明は、双方向情報交流システム及びそれを用いた方法に関する。
【背景技術】
【０００２】
インターネットの普及により、人と人の交流は行動の範囲に限らず、インターネットを通じていつでも交流することができる。たとえ地球上の遥かに遠い地域であっても、インターネットのカバー地域であれば、互いに情報交換をすることが可能である。このトレンドに乗じて、オンラインソフトウェア業者は、インターネットの特性を生かして交流サイトを構築し、ユーザーの使用による履歴データを集める。そして、履歴データを将来のサービス構築の参考にし、先にブルーオーシャンマーケットを発見して経営戦略を立てる。一般的な交流サイトは、人と交流する意欲のあるユーザーのプロフィールを全て集め、ユーザープロフィールの蓄積によりデータベースを構築し、基本的なマッチング機能でユーザーに交流相手をすすめ、ユーザー自身が適した相手を選んで交流を深めるといったシステムである。
【発明の概要】
【発明が解決しようとする課題】
【０００３】
ただし、上記マッチング機能は基本的なものである。ユーザーのプロフィールの入手は簡単過ぎるので、逆に交流をより深めることが困難になる。残念ながら、通常ユーザーは前記マッチング機能で他のユーザーの写真を閲覧して判断してしまうので、交流は表面的なものになってしまい、外見のみが判断材料になることが多いと考えられる。また、外見の良いユーザーは大量の嫌がらせを受け、外見の悪いユーザーまたはそれほど良くないユーザーは交流の機会を作ることができないという問題がある。そのため、交流サイトでのユーザーアクティビティや使用頻度は運営上の課題になる。このような見た目重視の風潮は、交流サイトでのユーザーの価値観に影響を与えている。外見の悪いユーザーはより見た目の良い写真になるように写真を加工する傾向がある。また、外見の良いユーザーは、交流相手に自分の外見だけで判断されてしまうかと心配し、理想的な交流相手であるかどうかを判断することができないという問題がある。
【０００４】
また、問答形式のマッチング機能を採用する交流サイト（又はアプリケーション）もある。ユーザーが他のユーザーにアプローチする際に、そのユーザーからの質問を答えなければならない。なお、答えの内容が質問者の基準をクリアするユーザーのみ相手の写真を入手することができ、さらに交流を深めることができる。ただし、このような交流方式は双方向の交流ではなく、マッチング方法も簡易なものになってしまうと考えられる。また、回答者は質問者の考え方を推測して答えることができるので、質問者はこのようなマッチング方法で相手の真意を読み取ることが難しいと考えられる。
【０００５】
ユーザーが外見で判断されてしまい、他のユーザーとの交流の機会を作れないという事態を避けるために、本発明は、通信装置用の双方向情報交流システム及びそれを用いた方法を提供する。本発明によって、ユーザーに公平な機会を与えて、ユーザーと相手との交流が深まるに伴って、相手のプロフィールを段階的に開示する交流サイトを提供することができる。それによって、相手のプロフィールが全て開示される前に交流を深めることを促すことができ、深い交流の基礎で交友関係を築くことが動機づけられる。これによって、インターネット普及の現代社会において交流が見た目重視になることを改善することが可能であり、実のある交流を強化し、既知の交流サイトによる課題を改善することができる。
【課題を解決するための手段】
【０００６】
本発明の主な目的は、ユーザーに少なくとも１つのダミー交流ユーザーとマッチングさせ、各ユーザーに公平な機会を与えることができる双方向情報交流システムを提供する。
【０００７】
また、本発明の他の目的は、閾値条件を設定することで、ユーザー間の交流状態を計算し、交流を深めることができる双方向情報交流システムを提供する。
【０００８】
なお、本発明の他の目的は、ユーザー間の交流状態を計算して閾値条件を設定することで、ユーザー間の交流を促し、ユーザー間の親密度を上げることができる双方向情報交流システムを用いた方法を提供する。
【０００９】
さらに、本発明の他の目的は、ユーザーにダミー交流ユーザーとマッチングさせ、すぐに主要交流ユーザーのプロフィールを開示しないようにすることで、主要交流ユーザーとの交流を促し、外見で判断されてしまう事態を防ぎ、各ユーザーに公平な機会を与えることができる双方向情報交流システムを用いた方法を提供する。
【００１０】
本発明は、双方向情報交流システムであって、リクエストユーザーが端末を利用して前記システムを介して交流ユーザーと情報交流を行い、前記端末は少なくとも１つの通信装置を含み、前記通信装置は少なくとも１つのディスプレイを有し、前記双方向情報交流システムは、前記通信装置と通信可能に接続される通信モジュールと、前記リクエストユーザーと複数の交流ユーザーのプロフィールを記憶する少なくとも１つの記憶モジュールと、前記リクエストユーザーが前記通信モジュールを介してログインする際に前記リクエストユーザーの前記プロフィールを認証する認証モジュールと、前記リクエストユーザーのプロフィールの認証後、前記リクエストユーザーからの交流条件に基づいて、オンラインになっていてかつ前記交流条件を満たす前記交流ユーザーの１つを主要交流ユーザーとして選択し、前記記憶モジュールから前記主要交流ユーザー以外に前記交流条件を満たす少なくとも１つの交流ユーザーをダミー交流ユーザーとして選択するマッチングモジュールと、前記通信モジュールを介して前記主要交流ユーザーと前記ダミー交流ユーザーのプロフィールを前記通信装置に送信し、前記通信モジュールを介して前記通信装置と前記主要交流ユーザーとの交流情報の受送信を行う処理モジュールと、前記リクエストユーザーと前記主要交流ユーザーとの交流状態を計算し、前記交流状態が閾値条件に達した場合に、権限指令を出力する演算モジュールと、前記権限指令を受信し、前記通信モジュールを介して、前記リクエストユーザーに排除権利の獲得を知らせるメッセージを前記通信装置に表示させ、前記記憶モジュールに記憶させる権限モジュールと、を備える。
【００１１】
また、本発明は、双方向情報交流システムを用いた方法であって、リクエストユーザーが端末を利用して前記システムを介して交流ユーザーと情報交流を行い、前記端末は少なくとも１つの通信装置を含み、前記通信装置は少なくとも１つのディスプレイを有し、前記双方向情報交流システムは、前記通信装置と通信可能に接続される通信モジュールと、少なくとも１つの記憶モジュールと、認証モジュールと、マッチングモジュールと、処理モジュールと、演算モジュールと、権限モジュールとを備え、前記記憶モジュールには、前記リクエストユーザーと複数の交流ユーザーのプロフィールが記憶され、前記双方向情報交流システムを用いた方法は、以下を含む：
ａ）前記通信モジュールは前記リクエストユーザーの前記通信装置と接続され、前記通信装置からの前記リクエストユーザーのプロフィールを受信し、前記認証モジュールで前記リクエストユーザーのプロフィールの認証を行うこと、
ｂ）前記プロフィールの認証後、前記通信モジュールを介して前記リクエストユーザーからの交流条件を受信すること、
ｃ）前記マッチングモジュールは、前記交流条件に基づいて、オンラインになっていてかつ前記交流条件を満たす前記交流ユーザーの１つを主要交流ユーザーとして選択し、前記記憶モジュールから前記主要交流ユーザー以外に前記交流条件を満たす少なくとも１つの交流ユーザーをダミー交流ユーザーとして選択すること、
ｄ）前記処理モジュールは、前記通信モジュールを介して前記主要交流ユーザーと前記ダミー交流ユーザーのプロフィールを前記通信装置に送信し、前記通信モジュールを介して前記通信装置と前記主要交流ユーザーとの交流情報の受送信を行うこと、
ｅ）前記演算モジュールは、前記リクエストユーザーと前記主要交流ユーザーとの交流状態を計算し、前記交流状態が閾値条件に達した場合に、権限指令を権限モジュールに出力し、前記権限モジュールは、前記通信モジュールを介して前記リクエストユーザーに排除権利の獲得を知らせるメッセージを前記通信装置に表示させ、前記記憶モジュールに記憶させること、
ｆ）前記通信モジュールを介して前記リクエストユーザーから排除権利を行使する指令を受信した場合に、前記処理モジュールは少なくとも１つの前記ダミー交流ユーザーを排除し、排除されたダミー交流ユーザー以外の前記ダミー交流ユーザーと前記主要交流ユーザーのプロフィールを前記通信装置に送信すること。
【発明の効果】
【００１２】
本発明に係る双方向情報交流システム及びそれを用いた方法において、ダミー交流ユーザーの介在によって、リクエストユーザーと交流条件を満たす主要交流ユーザーとの交流を促すことができる。また、ダミー交流ユーザーの介在によって、リクエストユーザーは外見だけで交流相手を判断することがなく、交流状態が予定の閾値条件に達したに伴って、相手のプロフィールを段階的に知ることになる。交流情報が増えるに伴って、リクエストユーザーと主要交流ユーザーとの交流が深まる。交流状態をダミー交流ユーザーの排除の条件として利用することで、ユーザー間の親密度を上げることができ、見た目重視の風潮を変えることが可能になる。それによって、ユーザー間の交流が深まり、本発明の目的である双方向情報交流を達成することが可能になる。
【図面の簡単な説明】
【００１３】
【図１】本発明に係る双方向情報交流システムの第一実施例において、システムの各モジュールの動作を説明するためのブロック図である。
【図２】本発明に係る双方向情報交流システムの第一実施例を用いた方法を示すフローチャートである。
【図３】第一実施例において操作画面を示す模式図である。
【図４】本発明に係る双方向情報交流システムの第二実施例を示すブロック図である。
【図５】本発明に係る双方向情報交流システムを用いた方法を示すフローチャートである。
【図６】本発明に係る双方向情報交流システムの第三実施例を示すブロック図である。
【図７】本発明に係る双方向情報交流システムを用いた方法を示すフローチャートである。
【図８】本発明において交流の終了と再開を示すフローチャートである。
【発明を実施するための形態】
【００１４】
以下に、本発明に係る技術内容、特徴、効果は、明細書に記載されている各実施例及び図面から明らかにされる。また、各実施例において同様の構成には類似の符号が付されている。
【００１５】
科学技術が急速に発展している今、第三世代移動通信技術（３ｒｄ−Ｇｅｎｅｒａｔｉｏｎ、３Ｇ）はすでに普及している。様々なモバイル端末、例えば、スマートフォン、タブレット、その他の携帯端末などは現代人にとって必要不可欠なものになっている。モバイル端末の小型化により、端末の持ち運びが可能になり、インターネット上の情報へのアクセスやモバイルゲームのプレイがいつでもできるようになっている。また、特に普及しているソーシャル・ネットワーキング・サービス（例えば、Ｗｅｉｂｏ、ＱＱ、Ｒｅｎｒｅｎ、ＷｅＣｈａｔなど）を利用して家族や友達と情報をシェアすることが可能になる。インターネット社会において、いつでもどこでも世界中の友達と交流を行うことができる。オンラインソフトウェア業者は、ユーザーの交流が既存のソーシャルサークルに限定されないように、様々な出会い系アプリケーションの開発を進めている。例えば、遇見、Ｒｅｎｒｅｎ、微愛、ＷＡＮＢＡ、Ｐａｉｒｓ、ｉ-Ｐａｒｔ、Ｂｅｅｔａｌｋなどのアプリケーションを開発し、ユーザー間の交流を促し、ユーザーのソーシャルサークルを広げる。
【００１６】
しかし、一般的な出会い系アプリケーションは、ユーザーがログインした後にプロフィールと交流条件を設定し、写真をアップロードするようになっている。アプリケーションに対応するサーバによって交流条件を満たす他のユーザーのプロフィールを選択し、そのプロフィールをユーザーの端末に表示させる。それによって、ユーザーは興味のある相手を選択し、交流を深めることができる。一般に、プロフィールの表示は主にプロフィール写真の表示である。そのため、外見が良くないユーザーは写真で拒絶され、交流の機会がないという問題がある。
【００１７】
外見のみが判断材料となる交流方法において、ユーザーは見た目をよくすることが不得意な相手を自ら選択して交流することが難しいと考えられる。たとえユーザーとその相手に共通点があっても、外見がその妨げになってしまうおそれがある。また、外見の良いユーザーは、他のユーザーと交流する機会に恵まれるが、外見だけで判断されてしまうかどうかを知ることが困難であり、交流の隔たりとなると考えられる。
【００１８】
ユーザー間の交流の改善について、本発明に係る双方向情報交流システムとそれを用いた方法の第一実施例を利用して説明する。図１、２、３は、それぞれ双方向情報交流システムを示すブロック図と、そのシステムを用いた方法を示すフローチャートと、操作画面を示す模式図である。
【００１９】
この実施例において、交流相手を探しているユーザー（リクエストユーザー２と称する）は、ステップ８０で端末９である通信装置９０を利用して接続要求を送信する。通信装置９０は、システム１の通信モジュール１０と通信可能に接続され、システム１と交流情報及びプロフィールの受送信を行う。この実施例において、前記通信装置９０は例えばスマートフォンである。前記通信装置９０はディスプレイ９０１を有し、システム１の通信モジュール１０からの交流情報を表示することが可能である。当然ながら、当業者は、ハンドへルドデバイス、モバイル通信端末、携帯端末などを通信装置として容易に理解することができる。具体的には、例えば、通信装置はディスプレイと入力インターフェースを備えるタブレットやノートパソコンである。前記通信装置は、移動通信技術（例えば、符号分割多元接続（ＣＤＭＡ）／３Ｇ）や無線ＬＡＮ（Ｗｉ−Ｆｉ）を介して外部装置と接続され、信号の受送信を行うことができる装置である。移動通信技術や無線ＬＡＮを利用してインターネットにアクセスすることができるノートパソコンのような通信装置であれば、この実施例に係る通信装置である。
【００２０】
リクエストユーザー２がはじめて本発明に係るシステム１にログインする場合、システム１は、端末９からのリクエストユーザー２のプロフィールを記憶モジュール１１に記憶させる。説明のため、リクエストユーザー２以外の既存のユーザーを交流ユーザー２０と称する。記憶モジュール１１には、リクエストユーザー２と複数の交流ユーザー２０のプロフィールが保存されている。リクエストユーザー２は、端末９を利用してシステム１に認識可能な名称や写真などのプロフィールを提供し、前記名称に対応するパスワードを設定する必要がある。リクエストユーザー２が再び通信モジュール１０を介してシステム１にログインする際に、システム１は、ステップ８１で記憶モジュール１１にあるプロフィールと通信装置９０からのプロフィールに基づいて、認証モジュール１２を利用してリクエストユーザー２への認証を行う。
【００２１】
リクエストユーザー２がステップ８１で認証できた後に、システム１のマッチングモジュール１３は、ステップ８２でリクエストユーザー２が設定した交流条件を読み込む。一方、認証ができなかった場合、ステップ８０に戻って再び認証を行い、或いは新しいユーザーのプロフィールを作り、ステップ８１で再認証を行うようにユーザーに提示する。マッチングモジュール１３は、ステップ８３とステップ８４でリクエストユーザー２が設定した交流情報、例えば、性別、年齢範囲、居住地に基づいてマッチングを行う。マッチングモジュール１３は、前記交流情報に基づいて、交流条件を満たしてオンラインになっている交流ユーザー２０の１つを、主要交流ユーザー２０１として選択する。さらに、マッチングモジュール１３は、記憶モジュール１１から主要交流ユーザー２０１以外に交流条件を満たす少なくとも１つの交流ユーザー２０を、ダミー交流ユーザー２０２として選択する。当然ながら、当業者であれば、前記交流条件で主要交流ユーザーを探し出すことができなかった場合、リクエストユーザーの交流条件より緩い条件で再検索できることが明らかである。例えば、１９〜２０歳の主要交流ユーザーを探し出すことができなかった場合、１８〜２１歳のユーザーを検索し、リクエストユーザーに適した相手であるユーザーを主要交流ユーザーとして選択することが可能である。
【００２２】
処理モジュール１４は、ステップ８５で主要交流ユーザー２０１とダミー交流ユーザー２０２のプロフィールを通信モジュール１０を通じて通信装置９０に送信する。図３に示すように、リクエストユーザー２の通信装置９０のディスプレイ９０１には、１つの主要交流ユーザー２０１及び８つのダミー交流ユーザー２０２が表示される。そのため、リクエストユーザー２はどちらが主要交流ユーザー２０１であるかを知ることができない。そのようにして、通信モジュール１０は、通信装置９０からの交流情報を受信し、その交流情報を主要交流ユーザー２０１に送信し、また、主要交流ユーザー２０１からの交流情報を通信装置９０に送信する。リクエストユーザー２に外見で相手を判断する習慣があっても、複数のダミー交流ユーザー２０２と１つの主要交流ユーザー２０１からなるグループにおいて外見の良いユーザーは少なくとも一人いれば、主要交流ユーザー２０１とリクエストユーザー２との交流の機会が増える。
【００２３】
ステップ８６で、リクエストユーザー２と主要交流ユーザー２０１が継続的にチャットを続けると、演算モジュール１５は判断材料として双方の交流情報量を計算する。ステップ８７で、前記交流情報量が予定の閾値条件に達した場合に、演算モジュール１５から権限指令が権限モジュール１６に出力される。権限モジュール１６は、権限指令を受信し、ステップ８８で通信モジュール１０を介してリクエストユーザー２に排除権利の獲得を知らせるメッセージをリクエストユーザー２の通信装置９０に表示させ、なお、前記排除権利を記憶モジュール１１に記憶させる。そのようにして、リクエストユーザー２と主要交流ユーザー２０１の交流情報には、ダミー交流ユーザー２０２を排除する請求権がある。リクエストユーザー２は、その排除権利を行使することによって、ダミー交流ユーザー２０２を排除し、主要交流ユーザー２０１を認識可能にすることができる。
【００２４】
最後に、ステップ８９で、システム１がリクエストユーザー２から排除権利を行使する指令を受信した場合、処理モジュール１４は少なくとも１つのダミー交流ユーザー２０２を排除の対象として選択する。なお、処理モジュール１４は、通信モジュール１０を介して、排除されたダミー交流ユーザー２０２以外の７つのダミー交流ユーザーと主要交流ユーザーのプロフィールを通信装置９０に送信する。例えば、８つの交流ユーザー２０の写真をディスプレイ９０１に表示させる。ダミー交流ユーザー２０２が複数存在するため、リクエストユーザー２は、ダミー交流ユーザーを一つずつ排除し、例えば、図３に示すように３つのダミー交流ユーザーを排除することが可能である（ここで、排除されたダミー交流ユーザーは破線で示す）。また、リクエストユーザー２は、排除権利を行使してダミー交流ユーザーを一つずつ排除するのではなく、獲得した排除権利を蓄積し、一回で例えば８つの排除権利を行使し、主要交流ユーザー２０１を認識可能にするように一回ですべてのダミー交流ユーザー２０２を排除してもよい。
【００２５】
図４、５に示すように、第二実施例におけるステップ８０’〜８６’は、第一実施例におけるステップ８０〜８６と同様である。第二実施例と第一実施例との主な違いは、閾値条件である。第二実施例における演算モジュール１５’は、クロックユニット１５０’と時間計測ユニット１５１’を備える。クロックユニット１５０’は周波数の基準として周期パルスを出力する。時間計測ユニット１５１’は、ステップ８７’で交流の過程において周期パルスの数をカウントし、交流状態を示す時間指標を出力することで、リクエストユーザーと主要交流ユーザーとの交流状態を計算する。交流時間の蓄積に伴い、閾値条件に達したかどうかをチェックする。閾値条件に達した場合、ステップ８８’で、第一実施例のように権限指令が出力され、なお、ステップ８９’で、排除権利が受信される。
【００２６】
また、この実施例には交流に使うポイントを計算するポイント計算モジュール１７’が設けられる。ユーザーがポイントを利用してステップ８７’で交流状態が閾値条件に達したと判断された場合、権限指令は演算モジュール１５’から権限モジュール１６’に出力される。権限モジュール１６’は、権限指令を受け、通信モジュール１０’を介してリクエストユーザーに排除権利の獲得を知らせるメッセージを送信し、リクエストユーザー２の通信装置９０’に表示させるように、処理モジュール１４’に指令する。
【００２７】
交流が深まるなかで、リクエストユーザーはもっと速く主要交流ユーザーを認識可能にしたいと考えられる。その場合、リクエストユーザーはポイントを利用してオンライン上あるいは実物のアイテムを主要交流ユーザーに送ることが可能である。オンライン上のアイテムは、例えば通信装置に表示可能な画面やアイコンなどである。それによって、交流の時間を延ばし、会話のきっかけを作り、閾値条件に達して排除権利を獲得することが速くなり、もっと速くダミー交流ユーザー２０２を排除することが可能になる。リクエストユーザーがポイントを利用すると、システム１’のポイント計算モジュール１７’は、ポイントを計算して、記憶モジュール１１’におけるリクエストユーザーのポイントから減算（又は加算）する。それによってユーザー間の交流を深めることができる。また、リクエストユーザーが一回で大量のポイントを利用して排除権利を獲得し、すぐに主要交流ユーザーを認識可能にするという構成にしてもよい。ただし、本発明は、リクエストユーザーと主要交流ユーザーとの交流を深めることが主な目的であるため、排除権利の獲得は両者の交流の状態によるものである。ポイントは、オンライン上あるいは実物のアイテムやゲーム、例えば、じゃんけん、五目並べ、お絵かきゲームといった交流を促すものと交換するものである。ポイントの使用は一例であり、本発明はそれに限定されない。
【００２８】
交流時間を交流状態として計算するほか、図６及び図７に示すように、第三実施例のシステムを示すブロック図とフローチャートについて説明する。第三実施例においては、第一実施例と同様に交流情報量を閾値条件として採用する。また、演算モジュール１５”は、リクエストユーザーと主要交流ユーザーの交流情報量を計測し、交流状態を示す情報量指標を出力する情報量計測ユニット１５２”を備える。さらに、第三実施例に係るシステム１”には、終了モジュール１８”と再開モジュール１９”が備えられる。ユーザー間の会話が続かない或いは相手からの返信がない場合、リクエストユーザーは通信装置９０”を利用して交流終了リクエストを通信モジュール１０”に送信することができる。ステップ８９”で、終了モジュール１８”は、交流終了リクエストを受信した場合（例えば、端末がシャットダウンして通信が中断した場合）、情報の交流を終了させる。
【００２９】
また、前記交流終了リクエストは、リクエストユーザーの意思で通信装置９０”の接続を中断させる他に、予想外の通信中断、例えば、エレベーターや電波が弱い地域による通信中断が含まれる。予想外の通信中断で情報の交流が中断された場合、その交流の終了後、リクエストユーザーは、端末に電波が入り次第再び主要交流ユーザーとの情報交流を再開することができる。図８に示すように、リクエストユーザーが通信装置９０”を利用して通信モジュール１０”を介して再接続すると、処理モジュール１４”は、ステップ７３”で通信モジュール１０”を通じて交流を再開するかどうかをリクエストユーザーに尋ねる。システム１”は、通信モジュール１０”を通じてステップ７４”で交流再開リクエストを受信すると、交流再開リクエストを再開モジュール１９”に送信する。システム１”は、主要交流ユーザー２０１がシステム１”に接続済みの場合、ステップ７５”でリクエストユーザーに主要交流ユーザーの接続状態を知らせ、両者の交流を再開させる。リクエストユーザーから交流の再開を拒否するのであれば、図７のステップ８２”に戻り、オンラインになっていてかつ交流条件を満たす他のユーザーを新たに検索し、双方向の情報交流を促す。
【００３０】
当然ながら、当業者は、ポイントの使用によりダミー交流ユーザーを排除することができるシステムにしてもよい。なお、本発明は、上記実施形態に限定されるものではない。本発明の範囲内において、上述の実施形態の任意の構成要素の変形、または、任意の構成要素の省略が可能であり、本発明の効果を発揮できる範囲内で適宜変更可能である。
【産業上の利用可能性】
【００３１】
本発明は、ダミー交流ユーザーの介在によって、リクエストユーザーは外見だけで交流相手を判断することがなく、交流状態が予定の閾値条件に達したに伴って、相手のプロフィールを段階的に知ることになる。それによって、ユーザー間の交流が深まり、本発明の目的である双方向情報交流を達成することが可能になる。
【符号の説明】
【００３２】
１、１’、１”  システム
２  リクエストユーザー
９  端末
１０、１０’、１０”  通信モジュール
１１、１１’  記憶モジュール
１２  認証モジュール
１３  マッチングモジュール
１４、１４’、１４”  処理モジュール
１５、１５’、１５”  演算モジュール
１５０’  クロックユニット
１５１’  時間計測ユニット
１５２”  情報量計測ユニット
１６、１６’  権限モジュール
１７’  ポイント計算モジュール
１８”  終了モジュール
１９”  再開モジュール
２０  交流ユーザー
２０１  主要交流ユーザー
２０２  ダミー交流ユーザー
８０〜８９、８０’〜８９’、８０”〜８９”  ステップ
９０、９０’、９０”  通信装置
９０１  ディスプレイ
【図１】
0006761119.tif 000002
【図２】
0006761119.tif 000003
【図３】
0006761119.tif 000004
【図４】
0006761119.tif 000005
【図５】
0006761119.tif 000006
【図６】
0006761119.tif 000007
【図７】
0006761119.tif 000008
【図８】
0006761119.tif 000009